(57)【特許請求の範囲】
【請求項１】
建屋開口部躯体に枠体及び額縁を取り付け、枠体内に障子を装着した窓において、ロック部品は枠体を構成する縦枠のアングル部を挟み込むように縦額縁に固定してあり、ロック操作部は、ロック部品の室内側見付け面、上面及び下面のいずれかに設けてあることを特徴とする窓。
【発明の詳細な説明】
【０００１】
【発明の属する技術分野】
建屋の窓に、見込み面に対して固定部材を螺入して部品を取り付ける構造に関し、窓枠の見込み寸法及び見付け寸法をより小さく出来る部品の取り付け構造に係る。
【０００２】
【従来の技術】
建屋の開口部に取り付けられる窓の構造は一般的に図４に示すように建屋の開口部躯体１にアルミニウム合金押出形材等からなるサッシ枠体３を取り付け、木板等からなる額縁２を躯体とこの枠体３のアングル部の間に取り付け、枠体の内側に引き違い障子や上げ下げ障子等が装着されている。
ここで枠体と障子を組合せて工場で生産され、現地で建屋開口部躯体に枠体を取り付け、躯体と枠体アングル部の間に額縁が取り付けられることから窓の構成部品は障子又は枠体に取り付けられる構造になっているのが一般的である。
しかし、例えば、図４に示すように、サブロック部品４等を枠体にネジ等の固定部材５で取り付けると、その為に押出形材からなる枠体の上端から下端まで一連の空間が必要になり、この部品そのものが取り付けられている部分以外はデッドスペースとなり非合理的であるだけで無く、その為に窓構造全体の見込み方向の寸法を大きくする原因となっていた。
またこれらの部品の操作方向も図４に示すように、例えばロックの操作ツマミ４１のように面内方向からのものが一般的であり、面内方向の操作部では手を枠の内側に持ってきてロック操作をしなければならないため、手を挿入及び操作のためのスペースが必要になり、その分、窓枠構造の見込み、見付け寸法及び框の見付け寸法が大きくなっていた。
ここで見込み寸法とは窓の内側から外側に向けての厚み方向の寸法をいい、面内方向の寸法を見付け寸法といい以下その意味で使用する。
【０００３】
上げ下げ窓においては枠体の上部に外障子としての固定障子及び下部に内障子としての可動障子が取り付けられ、従来は召し合せ部にクレセント錠が設けられるとともにこのクレセント錠とほぼ水平方向になる内障子の上框部分にサブロックが取り付けられているが、ほぼ同一高さに錠が併設されているので防犯性にも問題があった。
【０００４】
【発明が解決しようとする課題】
本発明は上記の実状に鑑みて、窓の見込み方向に張り出した部品を取り付ける場であっても窓の見込み寸法を小さく出来る部品の取り付け構造の提供にあり、特にサブロック又は補助ロックと一般にいわれているロック部品を取り付けた場合に窓枠見込み寸法や見付寸法及び框の見付け寸法が小さく出来、防犯性の優れたロック取り付け構造の提供にある。
【０００６】
【課題を解決するための手段】
本発明に係る窓は、建屋開口部躯体に枠体及び額縁を取り付け、枠体内に障子を装着した窓において、ロック部品は枠体を構成する縦枠のアングル部を挟み込むように縦額縁に固定してあり、ロック操作部は、ロック部品の室内側見付け面、上面及び下面のいずれかに設けてあることを特徴とする。
【０００９】
【発明の実施の形態】
本発明の望ましい実施の形態を上げ下げ窓にサブロック部品を取り付けた場合を例に以下説明する。
このロック部品を図３に示し、取り付け位置を図２に示す。
上枠１１、下枠１２を左縦枠１３、右縦枠１４で連結して組み立てた枠体１０の上部には外障子４０として固定障子が、下部に内障子２０として可動障子がはめ込まれ、可動障子が上下するようになっている。
内障子２０は上框２１、下框２２を左右の框２３、２４で枠に組み立て、ガラス２６が装着され、内障子の上框と外障子のサッシにてクレセント錠２５が主ロックとして取り付けられ、枠体１０の左右の縦枠１３、１４の下部にサブロック３０が取り付けられている。
【００１０】
サブロック３０はロック本体３１の操作面３１ａ側に歯先を枠体取付面３１ｂ側に向けてラックギヤ３２を配設し、ラックギヤの裏面にはスライド溝３４を介して操作ツマミ部３３が、１体又は別ピースとして取り付けられている。
このスライド溝部３４でロック本体に設けたスライド孔３１ｃとスライド対偶している。
ロック本体の枠体取付面側に突出部３５ａを有するピニオンギヤ３５がラックギヤに対応して取り付けられ、ピニオンギヤの上部に突出部に当接して回動を規制するストッパー３６が配設されている。
このサブロックを取り付けた部分の断面構造を図１に示す。
縦枠１４に設けた貫通孔にピニオンギヤの突出部３５ａを臨ませるように取り付けられていて、内障子に取り付けたスライダー２７がこの縦枠の凹部を内障子の昇降に合せて上下に摺動する構造になっていてロックの操作ツマミを上方向に移動させ、突出部３５ａをロック本体に収納させるとロックが解除された状態になり内障子が開放出来、操作ツマミ部を下方向に移動させ、突出部３５ａをロック本体の外に出すと縦枠の凹部に突出することになり、内障子の開放方向の回動がストッパー３６で規制され内障子のスライダーの上部で摺動を規制し、ロック状態になる。
【００１１】
建屋の開口部躯体１に枠体１０を取り付け、枠体のアングル部１４ａと躯体の間に額縁２を取り付け、ロック部品の見付け面（手前の面）に又は上下の面、あるいは、上又は下の面及び見付け面にロック操作部を有するサブロック３０をアングル部にネジ等で仮止めして工場から出荷し、現地にてサブロック３０の取り付け孔３７にて面内方向からアングルを挟み込むようにして額縁２にネジ等の固定部材５にて固定した。
【００１２】
【発明の効果】
本発明においては、窓見込み方向に張り出した部品の操作部を、部品の見付け面（手前の面）に又は上下のいずれかの面に設け、枠体のアングル部を挟み込むようにして額縁に固定する構造にしたので、障子の縦框をロック部側面まで室内側に持ってくることが出来ることになり、その分縦枠の見込み寸法を小さく出来る。また、ロック操作時に従来の面内方向に手を入れ操作するスペースが不要になった分だけ框見付け寸法を小さくでき、ガラス部を大きくできる。
引き違い窓と上げ下げ窓を連窓に構成した場合等においても従来は上げ下げ窓には内障子のバランス部品を収納するためのスペースが必要であり、その分窓の見込み寸法が大きくなり引き違い窓との段差が屋外側に生じていたが、本発明により上げ下げ窓の厚み方向の寸法を小さく出来るため、屋外側外観のファサードがよくなる。また、ガラスも大きく出来、採光性に優れた窓となる。
【図面の簡単な説明】
【図１】ロック部品取り付け部の断面図を示す。
【図２】ロック部品の取り付け位置を示す。
【図３】サブロックの例を示す。
【図４】従来の部品取り付け例を示す。
【符号の説明】
１      躯体
２      額縁
５      固定部材
１０    枠体
１１    上枠
１２    下枠
１３、１４  縦枠
１４ａ  アングル部
２０    内障子
２１    上框
２２    下框
２３、２４  縦框
２５    クレセント錠
２６    ガラス
２７    スライダー
３０    ロック
３１    ロック本体
３１ａ  ロック本体操作面
３１ｂ  ロック本体の枠体取り付け面
３２    ラックギヤ
３３    操作ツマミ
３５    ピニオンギヤ
３５ａ  突出部
３６    ストッパー
３７    取り付け孔
４０    外障子
【図１】
0004048466.tif 000002
【図２】
0004048466.tif 000003
【図３】
0004048466.tif 000004
【図４】
0004048466.tif 000005